(57)【要約】 【課題】  カラオケを楽しむ際に、録音・録画を指定すると緊張して上手く歌唱できない。また、録音・録画をあきらめて歌唱をしたときにリラックスして上手く歌唱できることがよくある。カラオケの操作性を維持しつつ、結果上手く歌唱できたときに録音・録画データを取り出せるようにしたい。【解決手段】  録音・録画モードでない通常モードにおいても、カラオケ演奏の際、常時録音を行うように制御し、カラオケ演奏中に途中操作があった場合は、録音成果物を放棄するとともに、カラオケ演奏中に途中操作がなかった場合は、録音成果物を一時的に保存し、録音成果物を出力するかどうか決定できるよう制御されるようにした。【選択図】  図１
2019109322.tif 000002
【特許請求の範囲】
【請求項１】
伴奏と歌唱からなる音声と歌唱中の映像を保存する録音、録画手段と、カラオケ演奏操作を監視制御する制御部を備え、利用者が録音を指定する録音モードと録画を指定する録画モード、録音も録画も指定しない通常モードを選択できるカラオケシステムにおいて、
前記制御部は、利用者の選択が録画モードの場合は録画を、録音モード或いは通常モードの場合は録音を開始するように制御し、
前記録音或いは録画モードにおいて、カラオケ演奏中の、一時停止ボタン、早送り、巻き戻しなどの途中操作を禁止するように制御し、
前記通常モードにおいて、カラオケ演奏中に前記途中操作があった場合、録音を行わないように制御し、
前記録音モード、録画モードあるいは、通常モードで前記途中操作がなかった場合に、録音或いは録画された録音・録画データを維持し出力指示の受付を可能とし、通常モードの場合録音データを維持している旨を利用者へ通知することを特徴とするカラオケシステム。
【請求項２】
前記制御部は、録音或いは録画された録音・録画データを維持するかどうかを楽曲終了の際に選択できるようにしたことを特徴とする前記請求項１記載のカラオケシステム。
【請求項３】
前記制御部はあらかじめ設定された条件を満たした場合、前記録音・録画データを維持するようにしたことを特徴とする前記請求項１乃至２記載のカラオケシステム。
【請求項４】
前記カラオケシステムは、歌唱における採点手段を有しており、前記条件は、前記採点手段の歌唱採点におけるあらかじめ設定された範囲の得点であることを特徴とする前記請求項３記載のカラオケシステム。
【請求項５】
指示の受付を可能とした前記出力は、前記録音或いは録画手段で録音・録画された録音・録画データの再生であることを特徴とする前記請求項１乃至４記載のカラオケシステム。
【請求項６】
指示の受付を可能とした前記出力は、前記録音或いは録画手段で録音・録画された録音・録画データの保存であることを特徴とする前記請求項１乃至４記載のカラオケシステム。
【請求項７】
前記制御部は、あらかじめ設定された条件を満たした場合に、前記出力することを特徴とする前記請求項１乃至６記載のカラオケシステム。
【請求項８】
前記カラオケシステムは、歌唱における採点手段を有しており、前記請求項７記載の条件は、前記採点手段の歌唱採点におけるあらかじめ設定された範囲の得点であることを特徴とする前記請求項７記載のカラオケシステム。
【請求項９】
前記制御部は、利用単位を特定するセッション中、録音・録画データの前記出力を可能とし、セッション終了の際、録音・録画データを消去するよう制御することを特徴とする前記請求項１乃至８記載のカラオケシステム。
【請求項１０】
前記制御部は、利用単位を特定するセッションの終了指示を受付た際、維持している録音・録画データの出力の要否を受け付け、出力を必要とされた場合、出力をした後に録音・録画データを消去し、セッションを終了するように制御することを特徴とする前記請求項９記載のカラオケシステム。
【発明の詳細な説明】
【技術分野】
【０００１】
本発明は、所定のカラオケ楽曲の演奏とともに歌唱した利用者の音声を録音・録画して、供給するカラオケシステムに関する。
【背景技術】
【０００２】
近年、カラオケの楽しみ方として、カラオケ楽曲の演奏とともに歌唱した利用者の音声を録音・録画する楽しみ方が存在している。
このようなサービスを行うためには、録音・録画装置とこの録音・録画データを利用者に提供するためのデータ変換装置などが必要になっている。例えば、シンセサイザーで演奏された音声と歌唱した利用者の音声の録音・録画データを保存して、ＭＰ３形式やＰＣＭデータ形式などで供給するようにしている。
【０００３】
従来、カラオケ技術において良く知られているように、カラオケ演奏に伴い利用者の歌唱力採点機能が付帯されている。この採点機能は、マイクから入力される歌唱音声とカラオケ伴奏音楽の主旋律などとを比較し、その音程や発音タイミングの差によって採点するものが知られている。
【０００４】
従来、このような採点手段が付帯されたカラオケシステムに関し、様々な技術が想到されてきた。例えば、特許文献１では、カラオケ演奏端末が利用者を特定するための利用者ＩＤを取得することで、誰が何を歌唱したかが認識され、その採点結果をカラオケホスト装置に送信し、当該ホスト装置は、その採点結果に基づき、月間あるいは年間など所定期間毎に採点ランキングを作成する技術が開示されている。また、特許文献２では、利用者が楽曲の演奏過程における適宜な区間を指定し、この指定区間における採点結果をディスプレイ表示する技術が開示されている。
【先行技術文献】
【特許文献】
【０００５】
【特許文献１】特開平１０−０５５１８４号公報
【特許文献２】特開平１０−３０１５８８号公報
【特許文献３】特開２００６-４７４０２号公報
【特許文献４】特開２０１１-２１５２２１号公報
【発明の概要】
【発明が解決しようとする課題】
【０００６】
また、特許文献３においては、カラオケ利用者は、基準採点値を予め自らカラオケホスト装置に登録し、このカラオケホスト装置とネットワーク接続された任意のカラオケ演奏端末において、利用者ＩＤが認識された利用者に対しては、特別なプロセスに従うことなく通常のカラオケ利用において、当該利用者が所定のカラオケ楽曲を歌唱した際、その採点結果が基準採点値を越えた場合、カラオケ歌唱録音音声を任意の書き込み装置にて可搬型記録媒体に書き込みできるようにしたものが開示されている。
【０００７】
さらに、特許文献４においては、カラオケ歌唱者の音声だけでなく映像も含めた、歌唱録音・録画システムも開示されている。
【０００８】
また、本発明者は、録音録画機能を駆動させる場合は、途中操作を禁止し、そうでない通常モードの操作性については、カラオケ演奏中、一時停止ボタン、早送り、巻き戻しなど途中操作を常に行えるように制御したいと考えた。
【０００９】
カラオケ演奏を楽しむ場合、録音・録画して楽しむことが確実に増加しており、録音・録画モードで演奏する場合は、このようにカラオケ演奏中、一時停止ボタン、早送り、巻き戻しなど途中操作を禁止し、録音・録画に集中したいものであるが緊張感が高まり、意に反してなかなか良い録音・録画ができないことが多い。一方、録音・録画モードを選択せず、通常モードでリラックしてカラオケを楽しんだ場合、予想以上に上手く歌える時があり、その誰もが、「今のカラオケ演奏を録音・録画しておかばよかった」と思うことを多くのカラオケ愛好者が経験している。本発明は、これらカラオケ装置において、録音・録画モード、通常モードを切り分けて、操作性を重視したカラオケ装置を提供しながらも、録音・録画を指定しない通常モードでも所定の条件で録音・録画を可能としたカラオケ
システムを目的としたものである。
【課題を解決するための手段】
【００１０】
上記課題に鑑み本発明におけるカラオケシステムは、
伴奏と歌唱からなる音声と歌唱中の映像を保存する録音、録画手段と、カラオケ演奏操作を監視制御する制御部を備え、利用者が録音を指定する録音モードと録画を指定する録画モード、録音も録画も指定しない通常モードを選択できるカラオケシステムにおいて、制御部は、利用者の選択が録画モードの場合は録画を、録音モード或いは通常モードの場合は録音を開始するように制御し、
録音或いは録画モードにおいて、カラオケ演奏中の、一時停止ボタン、早送り、巻き戻しなどの途中操作を禁止するように制御し、
通常モードにおいて、カラオケ演奏中に途中操作があった場合、録音を行わないように制御し、
録音モード、録画モードあるいは、通常モードで途中操作がなかった場合に、録音或いは録画された録音・録画データを維持し出力指示の受付を可能とし、通常モードの場合録音データを維持している旨を利用者へ通知することを特徴としたものである
【００１１】
また請求項２において、制御部は、録音或いは録画された録音・録画データを維持するかどうかを楽曲終了の際に選択できるようにしたものである。
【００１２】
さらに請求項３において、制御部は、あらかじめ設定された条件を満たした場合、録音・録画データを維持するようにしたものである。
【００１３】
請求項４では、カラオケシステムに歌唱における採点手段を有しており、前記条件は、採点手段の歌唱採点におけるあらかじめ設定された範囲の得点としたものである。
【００１４】
請求項５では、指示の受付を可能とした出力は、録音或いは録画手段で録音・録画された録音・録画データの再生としたものである。
【００１５】
請求項６では、指示の受付を可能とした出力は、録音或いは録画手段で録音・録画された録音・録画データの保存としたものである。
【００１６】
請求項７において、制御部は、あらかじめ設定された条件を満たした場合に、出力するようにしたものである。
【００１７】
請求項８は、カラオケシステムに、歌唱における採点手段を有しており、前記請求項７の条件は、採点手段の歌唱採点におけるあらかじめ設定された範囲の得点であるようにした。
【００１８】
請求項９において、制御部は、利用単位を特定するセッション中、録音・録画データの出力を可能とし、セッション終了の際、録音・録画データを消去するよう制御する。
【００１９】
請求項１０で制御部は、利用単位を特定するセッションの終了指示を受付た際、維持している録音・録画データの出力の要否を受け付け、出力を必要とされた場合、出力をした後に録音・録画データを消去し、セッションを終了するように制御するようにしたものである。
【発明の効果】
【００２０】
本発明は、特に録音あるいは録画モードではない通常モード時にも、カラオケ演奏の際、常時録音を行うように制御し、カラオケ演奏中に途中操作があった場合は、途中操作を有効にし、録音成果物を放棄するとともに、カラオケ演奏中に途中操作がなかった場合は、録音成果物を一時的に保存し、その録音成果物を出力するかどうか決定できるようにしたので、通常モード時の操作性が損なわれず煩わしさが解消される。そして途中操作がないときに、納得する歌唱が出来た歌唱終了時に録音成果物の処理が決定できるのでカラオケ演奏をより楽しむことができる。
【図面の簡単な説明】
【００２１】
【図１】本発明のカラオケシステムの概念説明図。
【図２】本発明のカラオケシステムのフロー説明図。
【発明を実施するための形態】
【００２２】
本発明のカラオケシステムを図面に基づいて説明する。まず図１に示すように、本発明のカラオケシステムとしてのカラオケ装置１は、コンテンツサーバ２からカラオケ楽曲及びカラオケ背景映像などダ定期的にダウンロードされコンテンツが蓄積、又は都度コンテンツサーバ２からダウンロードされて、カラオケ演奏が楽しめるようになっている。
【００２３】
カラオケ装置１は、カラオケ演奏手段３で演奏された伴奏と歌唱からなる音声と歌唱中の映像を保存する録音・録画手段５と、カラオケ演奏操作を監視制御する制御部４を備え、利用者が録音を指定する録音モードと録画を指定する録画モード、録音も録画も指定しない通常モードを選択できるカラオケシステム（カラオケ装置１）において、
制御部６は、利用者の選択が録画モードの場合は録画を、録音モード或いは通常モードの場合は録音を開始するように制御し、
録音或いは録画モードにおいて、カラオケ演奏中の、一時停止ボタン、早送り、巻き戻しなどの途中操作を禁止するように制御し、
通常モードにおいて、カラオケ演奏中に途中操作があった場合、録音を行わないように制御し、
録音モード、録画モードあるいは、通常モードで前記途中操作がなかった場合に、録音或いは録画された録音・録画データを維持し出力指示の受付を可能にしている。
【００２４】
そして演奏と録音・録画された録音・録画データを再生したり、外部のサーバにアップロードなどとして出力する出力手段８を備えている。また、カラオケ装置１には、歌唱者の歌唱採点をおこなう採点手段９も設けられている。前記カラオケ録音・録画手段５は、カラオケ演奏中に常時カラオケ演奏を録音・録画しており、その録音・録画を一時的に記憶する記憶部６が設けられている。
録音については、カラオケ演奏手段３による伴奏と歌唱者の音声をミキシングして録音する方法と、録音トラックを別々に録音する方法があるが、任意に選択すれば良い。
【００２５】
前記制御部４は、録音あるいは録画モードにおいて、カラオケ演奏の際、録音・録画を行うように制御し、カラオケ演奏中、一時停止ボタン、早送り、巻き戻しなど途中操作を禁止するようになっている。そして演奏終了時に、一時的に記憶された録音・録画成果物を出力できるように制御される。
一方、通常モードにおいて、カラオケ演奏の際、常時録音を行うように制御し、カラオケ演奏中に途中操作があった場合は、録音成果物を放棄するとともに、カラオケ演奏中に途中操作がなかった場合は、録音成果物を一時的に記憶部６に保存し、録音成果物を出力するかどうか後に決定できるよう制御されるようになっている。
【００２６】
また、カラオケ装置１は、採点手段９を有しており、制御部４は、前記通常モードにおいて、カラオケ演奏中に途中操作がなかった場合であって、さらに歌唱採点における設定得点を超えた場合は、録音・録画成果物を一時的に保存し、録音・録画成果物を出力するかどうか判断されるよう制御されるように構成されている。
具体的には、通常モードにおいて、歌唱が終了し採点手段９の機能を有効にした場合の採点結果が表示されるようになっており、ある得点以上だった場合、歌唱者は、録音データの出力指示をすればよい。あるいは他の実施例として、自動で放棄したり、自動でサーバにアップロードしたりできるようにできる。
【００２７】
このように構成されたカラオケ装置１は、カラオケ演奏を行うにあたって、録音モードあるいは録画モードにするか通常モードにするか決定できるようになっており、まず録音あるいは録画モードで歌唱する場合から説明する。リモコンによってモード選択を行い（ステップ２１）、録画モードに設定してカラオケ演奏を開始する（ステップ２２）とカラオケ装置１は、カラオケ演奏中、一時停止ボタン、早送り、巻き戻しなど途中操作を禁止し、カラオケ演奏及び歌唱録音・録画を開始する（ステップ２３）。カラオケ演奏が終了し、録音・録画成果物である録音・録画データが記憶部６に記憶される（ステップ２４）。
この録画成果物は、カラオケ装置１によって、再生されたり、コンテンツサーバ２にアップロードされ保存される。またモード選択（ステップ２１）で録音モードに選択された場合も、ステップ２５でカラオケ装置１は、カラオケ演奏中、一時停止ボタン、早送り、巻き戻しなど途中操作を禁止し、カラオケ演奏及び歌唱録音を開始する（ステップ２６）。
カラオケ演奏が終了し、録音成果物である録音データが記憶部６に記憶される（ステップ２７）。この場合も利用者が所有する携帯端末やパソコンに、コンテンツサーバ２に保存
された録音データをダウンロードしたりすることもできる。
【００２８】
モード選択（ステップ２１）で、カラオケ演奏が録音又は録画モードでない通常モードの場合は、ステップ２８でカラオケ演奏が開始されると録音機能が起動される。この時、カラオケ装置における制御部４は、カラオケ演奏中、一時停止ボタン、早送り、巻き戻しなど途中操作は、禁止しない状態になっている。カラオケ演奏が終了した場合、ステップ２６でカラオケ演奏中、一時停止ボタン、早送り、巻き戻しなどの途中操作があった場合は、ステップ２９からステップ３０で録音成果物は、記憶部６のデータは放棄され記憶部６の録音データはリセットされる。
【００２９】
ステップ２９でカラオケ演奏中、一時停止ボタン、早送り、巻き戻しなどの途中操作がなかった場合は、ステップ３１で録音成果物である録音データは、記憶部６に蓄積される。
その後、ステップ２４、ステップ２７と同様に録音、又は録音成果物は、カラオケ装置１によって、再生されたり、利用者が所有する携帯端末やパソコンに、カラオケ装置１から適宜なネットワーク機能により、あるいは、コンテンツサーバ２経由でダウンロードされたりする。録音成果物の出力指示がない場合は、所定のタイミングで一時保存された録音成果物はカラオケ装置１から消去される。
【００３０】
歌唱採点において設定得点を超えた場合は、録音成果物を一時的に保存し、出力指示が受付られるようになったり、自動でサーバ装置にアップロードなど出力することもできるようになっている。
また、録音或いは録画モード、通常モードで、カラオケ演奏中に途中操作がなかった場合であって、歌唱採点におけるあらかじめ設定した得点以下であった場合は、自動的に録音成果物を放棄（すなわち消去）するようにしても良いものである。
【００３１】
実施例として、通常モードで、カラオケ演奏中に途中操作がなかった場合、（ステップ２９時点の）演奏終了時に、カラオケ利用者に、録音データを再生するか、コンテンツサーバ２にアップロードするかなど録音・録画した旨を表示したりその利用を促したりする表示やメッセージを音声で出力しても良い。
【００３２】
あるいは、他の実施例として、通常モードで、カラオケ演奏中に途中操作がなかった場合であって、あらかじめ設定した条件、例えば採点機能で採点された結果が、あらかじめ設定した得点以上だったり、マイクからの入力音が設定以上の入力信号を受信し会場が盛り上がったと判断されたりした場合に録音データの出力指示を促すようにしても良い。
【００３３】
本発明では、特に録音録画手段にて録音・録画された録音あるいは録画データを、利用単位を特定するセッション中、録音あるいは録画データの出力を可能とし、セッション終了後録音あるいは録画データを消去するよう制御されるようになっているのでカラオケルームなど利用予約時間終了前に録音・録画データの出力指示を促すようにしても良い。
【００３４】
また、利用者がセッションを終了する操作を行うと（例えばカラオケ装置１に設けられたリセットボタンを押して）、カラオケ装置１の制御部は、利用者にセッション中、録音あるいは録画データが維持されている出力指示（再生、あるいはコンテンツサーバ２にアップロードする）など受け付けるようにしても良いものである。
【００３５】
このように、本発明によれば、利用者のモード選択で、通常モードを指定しても、常時録音されたり、カラオケ演奏中、一時停止ボタン、早送り、巻き戻しなど途中操作が、禁止されない状態になっていて、違和感なくカラオケ演奏が楽しめるとともに、カラオケ演奏中の途中操作がなく完璧に歌唱できたときに思いがけなく録音又は録音・録画したい気分になった時にも録音・録画成果物である録音・録画データを再生したり、コンテンツサーバにアップロードするなど簡単に利用できるので、より楽しめるカラオケ装置が提供できる。
【符号の説明】
【００３６】
１・・・カラオケ装置
２・・・コンテンツサーバ
３・・・カラオケ演奏手段
４・・・制御部
５・・・カラオケ録音・録画手段
６・・・記憶部
７・・・操作手段（リモコン）
８・・・出力手段
９・・・採点手段
【図１】
2019109322.tif 000003
【図２】
2019109322.tif 000004